(57)【要約】【課題】無線通信システムにおいてアップリンク同期化を遂行する方法を提供する。【解決手段】無線通信システムにおいてアップリンク同期化を遂行する方法は、ランダムアクセスプリアンブルの集合から任意に選択されたランダムアクセスプリアンブルを伝送して、前記ランダムアクセスプリアンブルに対応するランダムアクセスプリアンブル識別子とアップリンク同期化のための時間補正値(time  alignment  value)とを含むランダムアクセス応答を受信して、前記時間補正値を適用した後に時間同期タイマ(time  alignment  timer)を開始して、前記ランダムアクセス応答を受信した後に競合解決タイマを開始し、前記競合解決タイマが満了する時、競合解決が成功していないことであり、及び前記競合解決タイマが満了する時、前記時間同期タイマを中断することを含む。【選択図】図７
2010516165.tif 000002
【特許請求の範囲】
【請求項１】
無線通信システムにおいてアップリンク同期化を遂行する方法において、
ランダムアクセスプリアンブルの集合から任意に選択されたランダムアクセスプリアンブルを伝送して；
前記ランダムアクセスプリアンブルに対応するランダムアクセスプリアンブル識別子とアップリンク同期化のための時間補正値(time  alignment  value)とを含むランダムアクセス応答を受信して；
前記時間補正値を適用した後に時間同期タイマ(time  alignment  timer)を開始して；
前記ランダムアクセス応答を受信した後に競合解決タイマを開始し、前記競合解決タイマが満了する時、競合解決が成功していないことであり；及び、
前記競合解決タイマが満了する時、前記時間同期タイマを中断することを含む方法。
【請求項２】
固有識別子を含むスケジューリングされたメッセージを伝送して；及び、
前記固有識別子に対応する競合解決識別子を含む競合解決メッセージを受信する時、競合解決タイマを中断することをさらに含む請求項１に記載の方法。
【請求項３】
前記競合解決タイマは、前記スケジューリングされたメッセージを伝送する時開始される請求項２に記載の方法。
【請求項４】
前記ランダムアクセス応答は、アップリンク無線資源割当をさらに含み、前記スケジューリングされたメッセージは、前記アップリンク無線資源割当を介して伝送される請求項２に記載の方法。
【請求項５】
無線通信システムにおいてアップリンク同期化を遂行する方法において、
ランダムアクセスプリアンブルの集合から任意に選択されたランダムアクセスプリアンブルを伝送して；
前記ランダムアクセスプリアンブルに対応するランダムアクセスプリアンブルを含むランダムアクセス応答を受信して；
前記ランダムアクセス応答を受信した後に時間同期タイマを開始して；及び、
競合解決が成功していないと、前記時間同期タイマを中断することを含む方法。
【請求項６】
前記ランダムアクセス応答を介して受信されるアップリンク同期化のための時間同期値を処理することをさらに含む請求項５に記載の方法。
【請求項７】
前記競合解決は、競合解決タイマが満了すると成功していないことである請求項５に記載の方法。
【請求項８】
前記競合解決タイマは、前記ランダムアクセス応答を受信した後に開始される請求項７に記載の方法。
【請求項９】
前記ランダムアクセス応答を受信した後に固有識別子を含むスケジューリングされたメッセージを伝送することをさらに含む請求項５に記載の方法。
【請求項１０】
前記競合解決は、前記固有識別子に対応する競合解決識別子を含む競合解決メッセージが受信されないと成功していないことである請求項９に記載の方法。
【請求項１１】
前記スケジューリングされたメッセージを伝送する時、競合解決タイマを開始し、前記競合解決タイマが満了する時まで前記競合解決メッセージが受信されないと前記競合解決は成功していないことである請求項１０に記載の方法。
【請求項１２】
前記スケジューリングされたタイマを伝送する時、競合解決タイマを開始し、前記競合解決タイマが満了する前に、前記ランダムアクセス応答に含まれる臨時Ｃ-ＲＮＴＩによりアドレスされたＰＤＣＣＨにより指示される競合解決メッセージが、前記固有識別子に対応されない競合解決識別子を含む時、前記競合解決は成功していないことである請求項１０に記載の方法。
【発明の詳細な説明】
【技術分野】
【０００１】
本発明は、無線通信に関し、より詳しくは、無線通信システムにおいてアップリンク同期化を遂行する方法に関する。
【背景技術】
【０００２】
ＷＣＤＭＡ(Wideband  Code  Division  Multiple  Access)無線接続技術に基づく３ＧＰＰ(3rd  Generation  Partnership  Project)移動通信システムは、全世界で広範囲に展開している。ＷＣＤＭＡの最初進化段階と定義することができるＨＳＤＰＡ(High  Speed  Downlink  Packet  Access)は、中期的な(mid-term)未来で高い競争力を有する無線接続技術を３ＧＰＰに提供する。然しながら、使用者と事業者の要求事項と期待が持続的に増加しており、無線接続技術開発が進行しているため、今後競争力を有するためには３ＧＰＰにおける新しい技術進化が要求される。ビット当たり費用減少、サービス可用性増大、融通性のある周波数バンドの使用、単純構造と開放型インターフェース、端末の適切なパワー消耗などが要求事項となっている。
【０００３】
一般的に一つの基地局には一つ以上のセルが配置される。一つのセルには多数の端末が位置することがある。一般的に端末が網(network)に接続するためにランダムアクセス過程を経る。端末がネットワークにランダムアクセス過程を遂行する目的は、１)初期接続(initial  access)、２)ハンドオーバー(Handover)、３)無線資源要請(Scheduling  Request)、４)時間同期(timing  synchronization)などがある。これは一例に過ぎず、ランダムアクセス過程を遂行する目的はシステムによってその数や内容が変わってもよい。
【０００４】
ランダムアクセス過程は、競合基盤ランダムアクセス過程(Contention  based  random  access  procedure)と非競合基盤ランダムアクセス過程(Non-contention  based  random  access  procedure)に区分されることができる。競合基盤ランダムアクセス過程と非競合基盤ランダムアクセス過程との最も大きい相違点は、ランダムアクセスプリアンブル(Random  access  preamble)が一つの端末に専用(dedicated)に指定されるか否かに対することである。非競合基盤ランダムアクセス過程では、端末が自分にのみ指定された専用ランダムアクセスプリアンブルを使用するため、他の端末との競合(または衝突)が発生しない。ここで競合とは、二つ以上の端末が同じ資源を介して同じランダムアクセスプリアンブルを使用してランダムアクセス過程を試みる時発生する。競合基盤ランダムアクセス過程では、端末が任意に選択したランダムアクセスプリアンブルを使用するため、競合可能性が存在する。
【０００５】
ＯＦＤＭ(Orthogonal  Frequency  Division  Multiplexing)基盤の無線通信システムにおいては、使用者間の干渉を最小化するために端末と基地局との間の時間同期を合わせることが重要である。ランダムアクセス過程は、アップリンク同期化(uplink  synchronization)のために遂行する。ランダムアクセス過程の間、端末は基地局から伝送される時間補正値(time  alignment  value)を介して時間同期を合わせる。アップリンク同期化が行われると、端末は時間同期タイマ(time  alignment  timer)を作動させる(run)。時間同期タイマが作動中であると、端末と基地局はお互いにアップリンク同期が行われているとみなす。時間同期タイマが満了する、或いは作動されないと、端末と基地局はお互いに同期が行われていないとみなしてランダムアクセスプリアンブルの伝送以外のアップリンク伝送は行われない。
【０００６】
然しながら、競合基盤のランダムアクセス過程では、競合可能性が常に存在して、ランダムアクセス失敗が発生することがある。ランダムアクセス失敗にともなうアップリンク同期化を遂行する方法が必要である。
【発明の概要】
【発明が解決しようとする課題】
【０００７】
本発明が解決しようとする技術的課題は、無線通信システムにおいて競合基盤ランダムアクセス過程を遂行する間、アップリンク同期化を遂行する方法を提供することである。
【０００８】
本発明が解決しようとする他の技術的課題は、無線通信システムにおいて誤ったアップリンク同期化によって他の端末への干渉を避ける方法を提供することである。
【課題を解決するための手段】
【０００９】
一態様において、無線通信システムにおいてアップリンク同期化を遂行する方法が提供される。前記方法は、ランダムアクセスプリアンブルの集合から任意に選択されたランダムアクセスプリアンブルを伝送して、前記ランダムアクセスプリアンブルに対応するランダムアクセスプリアンブル識別子とアップリンク同期化のための時間補正値(time  alignment  value)とを含むランダムアクセス応答を受信して、前記時間補正値を適用した後に時間同期タイマ(time  alignment  timer)を開始して、前記ランダムアクセス応答を受信した後に競合解決タイマを開始し、前記競合解決タイマが満了する時、競合解決が成功していないことであり、及び前記競合解決タイマが満了する時、前記時間同期タイマを中断することを含む。
【００１０】
前記方法は、固有識別子を含むスケジューリングされたメッセージを伝送して、及び前記固有識別子に対応する競合解決識別子を含む競合解決メッセージを受信する時、競合解決タイマを中断することをさらに含むことができる。前記競合解決タイマは、前記スケジューリングされたメッセージを伝送する時開始されることができる。
【００１１】
他の態様において、無線通信システムにおいてアップリンク同期化を遂行する方法が提供される。前記方法は、ランダムアクセスプリアンブルの集合から任意に選択されたランダムアクセスプリアンブルを伝送して、前記ランダムアクセスプリアンブルに対応するランダムアクセスプリアンブルを含むランダムアクセス応答を受信して、前記ランダムアクセス応答を受信した後に時間同期タイマを開始して、及び競合解決が成功していないと、前記時間同期タイマを中断することを含む。
【発明の効果】
【００１２】
ランダムアクセス過程中に競合解決が成功的でないとしても誤ったアップリンク同期化を防止する。従って、他の端末への干渉を緩和して、サービスが遅れることを防止することができる。
【図面の簡単な説明】
【００１３】
【図１】無線通信システムを示したブロック図である。
【図２】Ｅ-ＵＴＲＡＮとＥＰＣとの間の機能分割(functional  split)を示したブロック図である。
【図３】端末の要素を示したブロック図である。
【図４】使用者平面(user  plane)に対する無線プロトコル構造(radio  protocol  architecture)を示したブロック図である。
【図５】制御平面(contro  lplane)に対する無線プロトコル構造を示したブロック図である。
【図６】ランダムアクセス過程に対するフローチャートである。
【図７】本発明の一実施例に係るアップリンク同期化を遂行する方法を示すフローチャートである。
【図８】本発明の他の実施例に係るアップリンク同期化を遂行する方法を示すフローチャートである。
【発明を実施するための形態】
【００１４】
図１は、無線通信システムを示したブロック図である。これはＥ-ＵＭＴＳ(Evolved-Universal  Mobile  Telecommunications  System)の網構造であってもよい。Ｅ-ＵＭＴＳシステムは、ＬＴＥ(Long  Term  Evolution)システムと呼ぶこともできる。無線通信システムは、音声、パケットデータなどのような多様な通信サービスを提供するために広く配置される。
【００１５】
図１を参照すると、Ｅ-ＵＴＲＡＮ(Evolved-UMTS  Terrestrial  Radio  Access  Network)は、制御平面(control  plane)と使用者平面(user  plane)とを提供する基地局(２０；Base  Station、BS)を含む。
【００１６】
端末(１０；User  Equipment、UE)は、固定される、或いは移動性を有することができて、ＭＳ(Mobile  station)、ＵＴ(User  Terminal)、ＳＳ(Subscriber  Station)、無線機器(Wireless  Device)等、他の用語とも呼ばれることがある。基地局(２０)は、一般的に端末(１０)と通信する固定された地点(fixed  station)をいい、ｅＮＢ(evolved-NodeB)、ＢＴＳ(Base  Transceiver  System)、アクセスポイント(Access  Point)等、他の用語とも呼ばれることがある。一つの基地局(２０)には一つ以上のセルが存在してもよい。基地局(２０)間には使用者トラフィックあるいは制御トラフィック伝送のためのインターフェースが使われてもよい。以下、ダウンリンク(downlink)は、基地局(２０)から端末(１０)への通信を意味して、アップリンク(uplink)は、端末(１０)から基地局(２０)への通信を意味する。
【００１７】
基地局(２０)は、Ｘ２インターフェースを介してお互いに連結される。基地局(２０)は、Ｓ１インターフェースを介してＥＰＣ(Evolved  Packet  Core)、より詳しくは、ＭＭＥ(Mobility  Management  Entity)/Ｓ-ＧＷ(Serving  Gateway、３０)と連結される。Ｓ１インターフェースは、基地局(２０)とＭＭＥ/ＳＡＥゲートウェー(３０)との間に多数-対-多数の関係(many-to-many-relation)を支援する。
【００１８】
図２は、Ｅ-ＵＴＲＡＮとＥＰＣとの間の機能分割(functional  split)を示したブロック図である。
【００１９】
図２を参照すると、斜線を引いたブロックは、無線プロトコル階層(radio  protocol  layer)を示して、斜線を引いていないブロックは、制御平面の機能的個体(functional  entity)を示す。
【００２０】
基地局は、次のような機能を遂行する。(１)無線ベアラ制御(Radio  Bearer  Control)、無線許可制御(Radio  Admission  Control)、連結移動性制御(Connection  Mobility  Control)、端末への動的資源割当(dynamic  resource  allocation)のような無線資源管理(Radio  Resource  Management；RRM)機能、(２)ＩＰ(Internet  Protocol)ヘッダ圧縮及び使用者データストリームの解読(encryption)、(３)Ｓ-ＧＷへの使用者平面データのルーティング(routing)、(４)ページング(paging)メッセージのスケジューリング及び伝送、(５)ブロードキャスト(broadcast)情報のスケジューリング及び伝送、(６)移動性とスケジューリングのための測定と測定報告設定。
【００２１】
ＭＭＥは、次のような機能を遂行する。(１)基地局らにページングメッセージの分散、(２)保安制御(Security  Control)、(３)アイドル状態移動性制御(Idle  State  Mobility  Control)、(４)ＳＡＥベアラ制御、(５)ＮＡＳ(Non-Access  Stratum)シグナリングの暗号化(Ciphering)及び無欠保護(Integrity  Protection)。
【００２２】
Ｓ-ＧＷは、次のような機能を遂行する。(１)ページングに対する使用者平面パケットの終点(termination)、(２)端末移動性の支援のための使用者平面スイッチング。
【００２３】
図３は、端末の要素を示したブロック図である。端末(５０)は、プロセッサ(processor、５１)、メモリ(memory、５２)、ＲＦ部(RF  unit、５３)、ディスプレー部(display  unit、５４)、使用者インターフェース部(user  interface  unit、５５)を含む。プロセッサ(５１)は、無線インターフェースプロトコルの階層が具現されて、制御平面と使用者平面を提供する。各階層の機能は、プロセッサ(５１)を介して具現されることができる。メモリ(５２)は、プロセッサ(５１)と連結されて、端末駆動システム、アプリケーション及び一般的なファイルを格納する。ディスプレー部(５４)は、端末の多様な情報をディスプレーして、ＬＣＤ(Liquid  Crystal  Display)、ＯＬＥＤ(Organic  Light  Emitting  Diodes)等よく知られた要素を使用することができる。使用者インターフェース部(５５)は、キーパッドやタッチスクリーンなどよく知られた使用者インターフェースの組合せによりなることができる。ＲＦ部(５３)は、プロセッサと連結されて、無線信号(radio  signal)を送信及び/または受信する。
【００２４】
端末とネットワークとの間の無線インターフェースプロトコル(radio  interface  protocol)の階層は、通信システムにおいて広く知られた開放型システム間相互接続(Open  System  Interconnection；OSI)モデルの下位３個階層に基づいてＬ１(第１階層)、Ｌ２(第２階層)、Ｌ３(第３階層)に区分されることができる。このうち第１階層に属する物理階層は、物理チャネル(physical  channel)を用いた情報伝送サービス(information  transfer  service)を提供して、第３階層に位置する無線資源制御(radio  resource  control；以下、RRCという)階層は、端末とネットワークとの間に無線資源を制御する役割を遂行する。このためにＲＲＣ階層は、端末とネットワークとの間にＲＲＣメッセージをお互いに交換する。
【００２５】
図４は、使用者平面(user  plane)に対する無線プロトコル構造(radio  protocol  architecture)を示したブロック図である。図５は、制御平面(control  plane)に対する無線プロトコル構造を示したブロック図である。これは端末とＥ-ＵＴＲＡＮとの間の無線インターフェースプロトコルの構造を示す。データ平面は、使用者データ伝送のためのプロトコルスタック(protocol  stack)であり、制御平面は、制御信号伝送のためのプロトコルスタックである。
【００２６】
図４及び図５を参照すると、第１階層である物理階層(PHY(physical)  layer)は、物理チャネル(physical  channel)を用いて上位階層に情報伝送サービス(information  transfer  service)を提供する。物理階層は、上位にある媒体接続制御(Medium  access  Control；ＭＡＣ)階層とは伝送チャネル(transport  channel)を介して連結されており、この伝送チャネルを介してＭＡＣ階層と物理階層との間のデータが移動する。また、相異する物理階層間、即ち、送信側と受信側の物理階層間は物理チャネルを介してデータが移動する。前記物理チャネルは、ＯＦＤＭ(Orthogonal  Frequency  Division  Multiplexing)方式に変調されて、時間と周波数を無線資源として活用することができる。
【００２７】
第２階層のＭＡＣ階層は、論理チャネル(logical  channel)を介して上位階層である無線リンク制御(Radio  Link  Control；RLC)階層にサービスを提供する。第２階層のＲＬＣ階層は、信頼性のあるデータの伝送を支援する。ＲＬＣ階層にはデータの伝送方法に従って透明モード(Transparent  Mode、TM)、非確認モード(Unacknowledged  Mode、UM)及び確認モード(Acknowledged  Mode、AM)の三つの動作モードが存在する。ＡＭ  ＲＬＣは、両方向データ伝送サービスを提供して、ＲＬＣ  ＰＤＵ(Protocol  Data  Unit)の伝送失敗時再伝送を支援する。
【００２８】
第２階層のＰＤＣＰ(Packet  Data  Convergence  Protocol)階層は、ＩＰｖ４やＩＰｖ６のようなＩＰ(InternetProtocol)パケット伝送時に帯域幅が小さい無線区間で効率的にパケットを伝送するために相対的に大きさが大きくて不必要な制御情報を含んでいるＩＰパケットヘッダサイズを減らすヘッダ圧縮(header  compression)機能を遂行する。
【００２９】
第３階層の無線資源制御(Radio  Resource  Control；以下、RRC)階層は制御平面でのみ定義される。ＲＲＣ階層は、無線ベアラ(Radio  Bearer；RB)の設定(configuration)、再設定(re-configuration)及び解除(release)と関連して論理チャネル、伝送チャネル及び物理チャネルの制御を担当する。ＲＢは、端末とＥ-ＵＴＲＡＮとの間のデータ伝達のために第２階層により提供されるサービスを意味する。端末のＲＲＣとネットワークのＲＲＣとの間にＲＲＣ連結(RRC  Connection)がある場合、端末は、ＲＲＣ連結モード(RRC  Connected  Mode)にあるようになり、そうでない場合、ＲＲＣアイドルモード(RRC  Idle  Mode)にあるようになる。
【００３０】
ＲＲＣ階層上位に位置するＮＡＳ(Non-Access  Stratum)階層は、連結管理(Session  Management)と移動性管理(Mobility  Management)などの機能を遂行する。
【００３１】
ネットワークから端末にデータを伝送するダウンリンク伝送チャネル(transport  channel)には、システム情報(System  Information)を伝送するＢＣＨ(Broadcast  Channel)、使用者トラフィックや制御メッセージを伝送するＤＬ-ＳＣＨ(Downlink-Shared  Channel)などがある。ダウンリンクマルチキャストまたはブロードキャストサービスのトラフィックまたは制御メッセージの場合、ＤＬ-ＳＣＨを介して伝送されることもあり、またはダウンリンクＭＣＨ(Multicast  Channel)を介して伝送されることもある。端末からネットワークにデータを伝送するアップリンク伝送チャネルには、初期制御メッセージを伝送するＲＡＣＨ(Random  access  Channel)と使用者トラフィックや制御メッセージを伝送するＵＬ-ＳＣＨ(Uplink-Shared  Channel)がある。
【００３２】
ダウンリンク伝送チャネルにマッピングされるダウンリンク物理チャネルには、ＢＣＨの情報を伝送するＰＢＣＨ(Physical  Broadcast  Channel)、ＭＣＨの情報を伝送するＰＭＣＨ(Physical  Multicast  Channel)、ＰＣＨとＤＬ-ＳＣＨの情報を伝送するＰＤＳＣＨ(Physical  Downlink  shared  Channel)、また、ダウンリンクまたはアップリンク無線資源割当情報(DL/UL  Scheduling  Grant)等のように、第１階層と第２階層で提供する制御情報を伝送するＰＤＣＣＨ(Physical  Downlink  Control  Channel)がある。ＰＤＣＣＨは、ダウンリンクＬ１/Ｌ２制御チャネルともいう。アップリンク伝送チャネルにマッピングされるアップリンク物理チャネルには、ＵＬ-ＳＣＨの情報を伝送するＰＵＳＣＨ(PhysicalUplink  Shared  Channel)、ＲＡＣＨ情報を伝送するＰＲＡＣＨ(Physical  Random  access  Channel)、また、ＨＡＲＱ  ＡＣＫ/ＮＡＣＫ信号、スケジューリング要請(Scheduling  Request)信号、ＣＱＩ(Channel  Quality  Indicator)などのように、第１階層と第２階層で提供する制御情報を伝送するＰＵＣＣＨ(Physical  Uplink  Control  Channel)がある。
【００３３】
以下、ランダムアクセス過程を説明する。端末は、(１)初期接続過程、(２)ハンドオーバー過程、(３)時間同期が合わない端末にダウンリンクデータを伝送する過程、(４)時間同期が合わない端末がアップリンクにデータを伝送する過程、及び(５)無線連結の障害発生時、復旧過程でランダムアクセスを遂行するようになる。
【００３４】
図６は、ランダムアクセス過程に対するフローチャートである。
【００３５】
図６を参照すると、段階Ｓ１１０で、端末は、基地局から伝送されたシステム情報を用いてランダムアクセスプリアンブル(Random  access  Preamble)を選択されたＰＲＡＣＨ資源(PRACH  resource)を介して基地局に伝送する。システム情報は、可能なランダムアクセスプリアンブルの集合に関する情報を含んだ。端末は、ランダムアクセスプリアンブルの集合から任意に選択されたランダムアクセスプリアンブルを伝送する。
【００３６】
段階Ｓ１２０で、基地局は、ランダムアクセス応答(RandoＭＡＣcessResponse)をＤＬ-ＳＣＨ上に伝送する。ランダムアクセス応答は、端末のアップリンク同期化のための時間補正値(Time  Alignment  Value)、アップリンク無線資源割当情報、ランダムアクセスを遂行する端末を識別するために受信したランダムアクセスプリアンブルのインデックス及び臨時(Temporary)Ｃ-ＲＮＴＩ(Cell-Radio  Network  Temporary  Identity)のような端末の臨時識別子を含む。
【００３７】
段階Ｓ１３０で、端末は、前記時間補正値を適用して、前記アップリンク無線資源割当情報を用いて端末固有識別子を含むスケジューリングされたメッセージを基地局に伝送する(Ｓ１３０)。ここで、端末固有識別子は、Ｃ-ＲＮＴＩ、Ｓ-ＴＭＳＩ(SAE  Temporary  Mobile  Station  Identifier)、または上位階層識別子であってもよい。固有識別子は、競合解決のために使われるため、競合解決識別子(Contention  Resolution  Identifier)ともいう。
【００３８】
段階Ｓ１４０で、基地局は、スケジューリングされたメッセージを受信した後に、前記端末固有識別子を含む競合解決(Contention  Resolution)メッセージを端末に伝送する。
【００３９】
ランダムアクセス過程で、競合は、可能なランダムアクセスプリアンブルの数が有限するため発生する。セル内の全ての端末に固有のランダムアクセスプリアンブルを付与することができないため、端末は、可能なランダムアクセスプリアンブルの集合のうち任意に一つのランダムアクセスプリアンブルを選択して伝送する。これに伴って同じＰＲＡＣＨ資源を介して二つ以上の端末が同じランダムアクセスプリアンブルを選択して伝送することができる。これは競合の発生した場合である。ランダムアクセスプリアンブルを受信した基地局は、競合如何が分からない状態で前記ランダムアクセスプリアンブルに対するランダムアクセス応答を伝送する。然しながら、競合が発生したため、二つ以上の端末が同じランダムアクセス応答を受信するようになり、前記端末は、前記ランダムアクセス応答に含まれた情報に基づいてスケジューリングされたメッセージを各々伝送する。これはランダムアクセス応答に含まれたアップリンク無線資源割当情報を介して二つ以上の端末が、相異するスケジューリングされたメッセージを伝送することを意味する。このとき、スケジューリングされたメッセージの伝送は全て成功するか、端末の位置または伝送パワーに従って特定端末のスケジューリングされたメッセージのみ基地局が成功的に受信する。スケジューリングされたメッセージを基地局で成功的に受信した場合、基地局は、スケジューリングされたメッセージに含まれた端末固有識別子を用いて競合解決メッセージを伝送する。自分の端末固有識別子を受信した端末は、競合解決が成功的であることが分かる。競合基盤のランダムアクセス過程で、端末が競合の失敗または成功如何が分かるようにすることが競合解決(Contention  Resolution)という。
【００４０】
競合解決のために競合解決タイマを用いる。競合解決タイマは、ランダムアクセス応答を受信した後に始まる。競合解決タイマは、端末がスケジューリングされたメッセージを伝送する時、始まることができる。競合解決タイマが満了すると、競合解決が成功的でないと判断して、新しいランダムアクセス過程を開始する。自分の固有識別子を含む競合解決メッセージを受信すると、競合解決タイマは中断され(stop)、競合解決が成功的であると判断する。もし、端末がランダムアクセス過程前に既にＣ-ＲＮＴＩのような固有のセル識別子を有しているならば、端末は、自分のセル識別子を含むスケジューリングされたメッセージを基地局に伝送した後、競合解決タイマを始める。競合解決タイマが満了する前に自分のセル識別子によりアドレスされる(address)ＰＤＣＣＨを受信すると、端末は、自分が競合で成功したと判断してランダムアクセス過程を正常に終えるようになる。または、端末がＣ-ＲＮＴＩを有していない場合、上位階層識別子を固有識別子として使用することができる。端末は、上位階層識別子を含むスケジューリングメッセージを伝送した後、競合解決タイマを始める。競合解決タイマが満了する前に自分の上位識別子を含んだ競合解決メッセージをＤＬ-ＳＣＨ上に受信した場合、端末は、ランダムアクセス過程が成功したと判断する。前記競合解決メッセージは、臨時Ｃ-ＲＮＴＩによりアドレスされたＰＤＣＣＨを用いて受信する。然しながら、競合解決タイマが満了する時まで自分の固有識別子を含んだ競合解決メッセージをＤＬ-ＳＣＨ上に受信することができないと、端末は競合で失敗したと判断する。
【００４１】
以下、アップリンク同期化のための時間補正(Time  Alignment)に対して記述する。ＯＦＤＭ(Orthogonal  Frequency  Division  Multiplex)基盤のシステムにおいては使用者間の干渉を最小化するために端末と基地局との間の時間同期を合わせることが重要である。
【００４２】
ランダムアクセス過程は、アップリンクの時間同期化のための一つの方法である。即ち、基地局は、端末が伝送するランダムアクセスプリアンブルを介して時間補正値を測定して、時間補正値をランダムアクセス応答を介して端末に提供する。ランダムアクセス応答を受信した端末は、前記時間補正値を適用させて、時間同期タイマ(Time  alignment  timer)を始める。時間同期タイマの作動中には端末と基地局との間の時間同期が維持されており、時間同期タイマが満了される、或いは作動しないと、端末と基地局との間の時間同期が維持されないとみなす。時間同期タイマが満了される、或いは動作しないと、端末はランダムアクセスプリアンブル伝送以外には如何なるアップリンク伝送もすることができない。
【００４３】
ランダムアクセス遂行過程で競合が発生すると、端末が誤った時間補正値を適用することができる。端末がランダムアクセスプリアンブルを伝送する前に端末と基地局との間の時間同期が合わない場合、作動中である時間同期タイマによってアップリンクへの誤った伝送をすることがある。
【００４４】
まず、端末と基地局との間のアップリンク同期化が行われない状態で端末が任意に選択したランダムアクセスプリアンブルを基地局に伝送して、前記ランダムアクセスプリアンブルに対するランダムアクセス応答を受信する。競合が発生するとしても、端末はランダムアクセス応答を受信することができる。このとき、前記端末は、競合が発生したか否かが分からないため、受信されたランダムアクセス応答に含まれた時間補正値を自分に適用させて、時間同期タイマを始める。次いで、端末は、自分の固有識別子を含んだスケジューリングされたメッセージを基地局に伝送して、競合解決タイマを始める。前記競合解決タイマが満了する時まで、端末は、自分の固有識別子によりアドレスされた競合解決メッセージを受信することができないと、端末は、ランダムアクセス過程を再試図するようになる。然しながら、時間同期タイマは、作動し続けているため、基地局でダウンリンクデータを伝送するようになると、アップリンク同期が合わない状態にも拘わらず、端末は、作動中である時間同期タイマによってアップリンク同期が合うと判断して、アップリンクデータを伝送することができる。これは誤ったアップリンク同期化による他の使用者の伝送に干渉を起こすことがある。
【００４５】
図７は、本発明の一実施例に係るアップリンク同期化を遂行する方法を示すフローチャートである。まず、端末は、時間同期タイマが満了される、或いは時間同期タイマが作動しない状態である。これは、端末がネットワークに初期に進入しようとする時や、無線リンク失敗(Radio  Link  Failure)によるセルの再探索を遂行する時、競合基盤ランダムアクセス過程を始める場合である。
【００４６】
図７を参考すると、段階Ｓ２１０で、端末は、任意に選択したランダムアクセスプリアンブルを基地局に伝送する。段階Ｓ２２０で、基地局は、前記ランダムアクセスプリアンブルに対する応答としてランダムアクセス応答を端末に伝送する。前記ランダムアクセス応答は、アップリンク無線資源割当情報、ランダムアクセスプリアンブル識別子、時間補正値、臨時(temporaty)Ｃ-ＲＮＴＩを含む。段階Ｓ２３０で、端末は、前記ランダムアクセス応答に含まれた時間補正値を適用し、時間同期タイマを始める。
【００４７】
段階Ｓ２４０で、端末は、ランダムアクセス応答に含まれたアップリンク無線資源割当情報を介して、固有識別子を含んだスケジューリングされたメッセージを基地局に伝送する。段階Ｓ２５０で、端末は、前記スケジューリングされたメッセージを伝送した後、競合解決タイマを始める。
【００４８】
段階Ｓ２６０で、前記競合解決タイマが満了する時まで、端末が、自分の固有識別子を含んだ競合解決メッセージを受信しない場合、端末は、時間同期タイマを中断する。このとき、端末は、競合で失敗したと判断して、ランダムアクセス過程を再試図することができる。
【００４９】
ランダムアクセス失敗が発生すると、端末は、以前に作動させた時間同期タイマを中断する。以前に受信した時間補正値が他の端末のための値である場合があるためである。従って、時間同期タイマを中断することによって、誤った時間同期補正値を用いたアップリンク伝送を禁止する。
【００５０】
図８は、本発明の他の実施例に係るアップリンク同期化を遂行する方法を示すフローチャートである。
【００５１】
図８を参考すると、段階Ｓ３１０で、端末は、任意に選択されたランダムアクセスプリアンブルを基地局に伝送する(Ｓ３１０)。段階Ｓ３２０で、基地局は、ランダムアクセスプリアンブルに対する応答としてランダムアクセス応答を端末に伝送する。前記ランダムアクセス応答は、ランダムアクセスプリアンブル識別子及び臨時Ｃ-ＲＮＴＩを含む。段階Ｓ３３０で、端末は、時間補正値を適用して、時間同期タイマを始める。段階Ｓ３４０で、端末は、ランダムアクセス応答に含まれたアップリンク無線資源割当情報を介して固有識別子を含むスケジューリングされたメッセージを基地局に伝送する。段階Ｓ３５０で、前記スケジューリングされたメッセージを伝送した後、端末は競合解決タイマを始める。
【００５２】
段階Ｓ３６０で、競合解決タイマが満了する前に、端末は、臨時Ｃ-ＲＮＴＩによりアドレスされた(addressed)ＰＤＣＣＨにより指示される競合解決メッセージを受信する。競合解決メッセージは競合解決識別子を含む。段階Ｓ３７０で、端末は、競合解決識別子を介して競合の成功如何を判断する。例えば、前記競合解決識別子(Contention  Resolution  Identifier)とスケジューリングされたメッセージに含まれる識別子とを比較して、両識別子を比較する。両識別子が一致しない場合、競合から失敗したと判断する。
【００５３】
段階Ｓ３８０で、競合が成功していないと判断した場合、端末は、時間同期タイマを中断する。このとき、端末は、ランダムアクセス過程を再試図する、或いは上位階層に失敗事実を通報することができる。
【００５４】
ランダムアクセス遂行過程で、端末が競合に失敗した場合、動作中である時間同期タイマを中断する。アップリンク同期が合わない場合にも時間同期タイマが作動し続けることによって発生する問題点を解決することができる。
【００５５】
本発明は、ハードウェア、ソフトウェアまたはこれらの組合せにより具現されることができる。ハードウェア具現において、前述した機能を遂行するためにデザインされたＡＳＩＣ(application  specific  integrated  circuit)、ＤＳＰ(digital  signal  processing)、ＰＬＤ(programmable  logic  device)、ＦＰＧＡ(field  programmable  gate  array)、プロセッサ、制御機、マイクロプロセッサ、他の電子ユニットまたはこれらの組合せにより具現されることができる。ソフトウェア具現において、前述した機能を遂行するモジュールにより具現されることができる。ソフトウェアは、メモリユニットに格納されることができて、プロセッサにより実行される。メモリユニットやプロセッサは、当業者によく知られた多様な手段を採用してもよい。
【００５６】
以上、本発明の望ましい実施例に対して詳細に記述したが、本発明が属する技術分野において通常の知識を有する者であれば、添付請求範囲に定義された本発明の精神及び範囲を外れない限り、本発明を多様な変形または、変更して実施することができる。従って、本発明の今後の実施例の変更は本発明の技術を外れることができない。
【符号の説明】
【００５７】
１０、５０  端末
２０  基地局
５１  プロセッサ
５１  メモリ
５３  ＲＦ部
５４  ディスプレー部
５５  使用者インターフェース部
【図１】
2010516165.tif 000003
【図２】
2010516165.tif 000004
【図３】
2010516165.tif 000005
【図４】
2010516165.tif 000006
【図５】
2010516165.tif 000007
【図６】
2010516165.tif 000008
【図７】
2010516165.tif 000009
【図８】
2010516165.tif 000010
【国際調査報告】
2010516165.tif 000011
2010516165.tif 000012